(57)【要約】【課題】  贈答品の注文依頼とその贈答品に添付するメッセージカードの作成依頼とを行うことが可能な贈答品注文受付装置を提供する。【解決手段】  贈答品注文受付装置１００は、贈答品の注文を受け付ける装置であって、前記注文に基づく注文データを生成する注文データ生成処理と、入力されたメッセージデータに基づいて、前記贈答品に添付するメッセージカードを作成するためのメッセージカード作成用データを生成するメッセージカード作成用データ生成処理とを行う制御部１４と、前記注文データおよびメッセージカード作成用データを出力するデータ出力部１６とを備える。【選択図】  図１
2005078151.tif 000002
【特許請求の範囲】
【請求項１】
贈答品の注文を受け付ける贈答品注文受付装置であって、
前記注文に基づく注文データを生成する注文データ生成手段と、
入力されたメッセージデータに基づいて、前記贈答品に添付するメッセージカードを作成するためのメッセージカード作成用データを生成するメッセージカード作成用データ生成手段と、
前記注文データおよびメッセージカード作成用データを出力するデータ出力手段とを備える贈答品注文受付装置。
【請求項２】
請求項１記載の贈答品注文受付装置であって、
画像データを入力する入力手段を備え、
前記メッセージカード作成用データ生成手段は、前記入力手段により入力された画像データを利用して前記メッセージカード作成用データを生成するものである贈答品注文受付装置。
【請求項３】
請求項２記載の贈答品注文受付装置であって、
前記入力手段は、撮像装置である贈答品注文受付装置。
【請求項４】
請求項１〜３のいずれか記載の贈答品注文受付装置であって、
前記贈答品は、画像を利用したものである贈答品注文受付装置。
【請求項５】
請求項４記載の贈答品注文受付装置であって、
前記贈答品は、画像をプリントしたものである贈答品注文受付装置。
【請求項６】
請求項１〜５のいずれか記載の贈答品注文受付装置であって、
前記出力手段は、前記贈答品の配送先の店舗に設置される端末装置に前記メッセージカード作成用データを出力するものである贈答品注文受付装置。
【請求項７】
請求項５記載の贈答品注文受付装置であって、
前記出力手段は、前記贈答品注文受付装置の設置される店舗内の端末装置に前記注文データ及びメッセージカード作成用データを出力するものである贈答品注文受付装置。
【請求項８】
請求項５記載の贈答品注文受付装置であって、
前記出力手段は、前記贈答品の配送先の店舗に設置される端末装置に前記注文データ及びメッセージカード作成用データを出力するものである贈答品注文受付装置。
【発明の詳細な説明】
【技術分野】
【０００１】
本発明は、贈答品の注文を受け付ける贈答品注文受付装置に関する。
【背景技術】
【０００２】
花や食品、嗜好品等を贈答品として贈る際にメッセージカード等を添えると、単に贈答品を贈るだけよりも真心込めて気持ちを伝えることができる。従来では、贈り主がメッセージカードを贈答品と共に包装して相手に贈るといった方法が行われている。又、贈答品を店舗等から配送してもらう場合には、贈り主がメッセージを店舗側に伝え、伝えられたメッセージに基づいて店舗側がメッセージカードを作成し、作成したメッセージカードを贈答品に添えて配送するといった方法が行われている。
【０００３】
又、店舗に設置された端末において贈答品の注文を行うことが可能な店頭端末も知られている。
【０００４】
又、デジタルカメラで撮影した画像を活用して独自のパッケージとした贈答品を贈るという方法も知られている（例えば、特許文献１参照）。
【０００５】
【特許文献１】特開２０００−１２２５４７号公報
【発明の開示】
【発明が解決しようとする課題】
【０００６】
上記従来の店頭端末を利用することにより、自動で贈答品の注文を行うことが可能となっているが、店頭端末で注文した贈答品に対してメッセージカードを添付するといったサービスは行われていない。又、店頭端末に限らず、インターネット等のネットワーク経由で注文した贈答品についても、メッセージカードを添付するといったサービスは行われていない。
【０００７】
本発明は、上記事情に鑑みてなされたものであり、贈答品の注文依頼とその贈答品に添付するメッセージカードの作成依頼とを行うことが可能な贈答品注文受付装置を提供することを目的とする。
【課題を解決するための手段】
【０００８】
本発明の贈答品注文受付装置は、贈答品の注文を受け付ける贈答品注文受付装置であって、前記注文に基づく注文データを生成する注文データ生成手段と、入力されたメッセージデータに基づいて、前記贈答品に添付するメッセージカードを作成するためのメッセージカード作成用データを生成するメッセージカード作成用データ生成手段と、前記注文データおよびメッセージカード作成用データを出力するデータ出力手段とを備える。
【０００９】
この構成により、贈答品の注文に基づく注文データと、贈答品に添付するメッセージカードを作成するためのメッセージカード作成用データとを生成して出力することができる。このため、利用者は、贈答品の注文と一緒に、その贈答品に添付するメッセージカードの作成も依頼することが可能となり、贈答品を贈る際の利便性が向上する。
【００１０】
又、本発明の贈答品注文受付装置は、画像データを入力する入力手段を備え、前記メッセージカード作成用データ生成手段が、前記入力手段により入力された画像データを利用して前記メッセージカード作成用データを生成するものである。
【００１１】
この構成により、画像付きのメッセージカードを作成することができ、気持ちのこもったメッセージカードの作成が可能となる。
【００１２】
又、本発明の贈答品注文受付装置は、前記入力手段が撮像装置である。
【００１３】
この構成により、贈答品の注文を行った場所や日時にて撮影した画像付きのメッセージカードを作成することができ、贈答品に添付するメッセージカードに最適である。
【発明の効果】
【００１４】
本発明によれば、贈答品の注文依頼とその贈答品に添付するメッセージカードの作成依頼とを行うことが可能な贈答品注文受付装置を提供することができる。
【発明を実施するための最良の形態】
【００１５】
図１は、本発明の実施形態を説明するための贈答品注文受付装置の概略構成を示す図である。図１に示す贈答品注文受付装置１００は、写真の現像を行う店舗やコンビニエンスストア等に設置され、店舗内の図示しないコンピュータや印刷装置等に接続されている。
【００１６】
贈答品注文受付装置１００は、操作部１０と、表示部１１と、撮像部１２と、メディアＩＦ１３と、制御部１４と、メモリ１５と、データ出力部１６とを備え、各部はバス１７に接続されている。
【００１７】
操作部１０は、機能選択ボタンや方向キー等を備える操作入力手段であり、これらのキーが操作されることによる状態信号が制御部１４に送られ、贈答品注文受付装置１００の各機能が実行される。
【００１８】
表示部１１は、例えばＬＣＤ表示装置を含んで構成され、贈答品の注文受付画面や、贈答品に添付するメッセージカードの作成受付画面等を表示する。
【００１９】
撮像部１２は、固体撮像素子等により被写体を撮像し、撮像により得られた画像データを制御部１４に入力する。
【００２０】
メディアＩＦ１３は、外部から装着されるメモリカード等の記録メディアとの間のデータの入出力を行う。
【００２１】
メモリ１５は、ＲＯＭやＲＡＭ等のメモリであり、贈答品に関するデータやメッセージカードに関するデータ及び制御部１４で実行されるプログラム等が記憶される。
【００２２】
データ出力部１６は、制御部１４で生成されたデータを図示しないコンピュータ、印刷装置、又は贈答品の配送を管理するコンピュータ等に出力する。データ出力部１６は、以下では、贈答品注文受付装置１００の設置店舗内に設置されたコンピュータにデータを出力するものとする。
【００２３】
制御部１４は、各部を制御し、メモリ１５に記憶されている所定のプログラムを実行することにより、注文データ生成処理とメッセージカード作成用データ生成処理の２つの処理を行う。
【００２４】
注文データ生成処理とは、利用者が操作部１０を操作して入力した贈答品の注文に基づいて、その贈答品の注文データを生成する処理である。注文データとは、贈答品の種類、個数、配送日、配送場所、配送宛て先人、及び配送元人等を示すデータである。贈答品注文受付装置１００では、贈答品の種類として、花、食品、嗜好品、及び画像を利用した商品等が選択可能となっている。画像を利用した商品とは、例えば、画像をプリントしたマグカップやＴシャツ、画像を紙にプリントして額に入れたもの等がある。尚、注文データ生成処理では、撮像部１２やメディアＩＦ１３から入力された画像データを利用して、上記贈答品の注文データを生成することも可能である。
【００２５】
メッセージカード作成用データ生成処理とは、利用者により贈答品の注文が完了され、その後、その贈答品に添付するメッセージカードの作成依頼が行われた場合に、操作部１０の操作により入力されたメッセージ等を利用して、メッセージカードを作成するためのメッセージカード作成用データを生成する処理である。メッセージカード作成用データ生成処理では、操作部１０の操作により入力されたメッセージだけに限らず、撮像部１２で撮像して得られた画像データやメディアＩＦ１３を介してメディアから取り込まれた画像データ等を利用してメッセージカード作成用データを生成しても良い。
【００２６】
図２は、本発明の実施形態を説明するための贈答品注文受付装置を利用した贈答品注文システム全体の概略構成例を示す図である。
本システムは、贈答品注文受付装置１００が設置される店舗２０と、贈答品注文受付装置１００で注文された贈答品の配送先の店舗３０とを備える。
【００２７】
店舗２０は、贈答品注文受付装置１００の他に、贈答品注文受付装置１００に接続されたコンピュータ２１と、コンピュータ２１に接続された印刷装置２２とを備える。又、コンピュータ２１は、インターネット等のネットワーク４０に接続可能である。
【００２８】
店舗３０は、ネットワーク４０に接続可能なコンピュータ３１と、コンピュータ３１に接続された印刷装置３２とを備える。
【００２９】
以下、贈答品注文受付装置１００を利用した贈答品注文システムの動作について説明する。以下では、利用者が、画像データを店舗２０に持ち込み、その画像データに基づく画像をプリントして額に入れたものを贈答品として贈る場合を例にして説明する。
【００３０】
図３は、本発明の実施形態を説明するための贈答品注文システムの動作フローを示す図である。
利用者は店舗２０に行き贈答品注文受付装置１００の操作を開始する。利用者は、メディアＩＦ１３にメディアを装着し、贈答品にする画像データを制御部１４に取り込ませる（Ｓ３０１）。更に、利用者により、メディアから取り込んだ画像データの加工の有無、プリントサイズの指定、及び額の種類の指定等が行われ、贈答品の注文が行われると（３０２）、制御部１４は、注文された贈答品の注文データを生成し（Ｓ３０３）、メモリ１５内のＲＡＭに一時的に記憶する。この注文データには、上記指定した画像データに基づく画像のプリントサイズ、画像加工の有無、及びプリントを入れる額の種類等のデータが含まれる。
【００３１】
その後、注文された贈答品のメッセージカードの作成依頼があると、制御部１４は、表示部１１を介して利用者にメッセージの入力を促す。そして、利用者により手書きやキー入力でメッセージが入力されると（Ｓ３０４）、制御部１４は、入力されたメッセージデータを予め記憶しているメッセージカードデータのテンプレートに合成してメッセージカード作成用データを生成する（Ｓ３０５）。更に利用者が、撮像部１２を起動させて自分を撮像すると（Ｓ３０６：ＹＥＳ）、それにより得られた画像データが制御部１４に入力される。制御部１４は、先程メッセージデータを合成したテンプレート上に、入力された画像データを合成する（Ｓ３０７）。この結果生成されたメッセージカード作成用データに基づくメッセージカードのイメージを図４に示す。
【００３２】
図４に示すように、メッセージカードには、贈答品の贈り主が贈答品を注文した際に撮った画像と、贈答品を注文した際に入力したメッセージとがプリントされる。尚、必要に応じてメッセージカードに添付する画像を加工しても良い。例えば、贈り主の口付近から吹きだしを付けて、その吹きだし内にメッセージを入れるといったことも可能である。これにより、真心のこもったメッセージカードを贈答品に添付して贈ることができる。
【００３３】
制御部１４は、メッセージカード作成用データの生成を終えると、メッセージカード作成用データと、ＲＡＭに記憶した注文データとをデータ出力部１６に送る。データ出力部１６は、２つのデータを店舗２０内のコンピュータ２１に出力する（Ｓ３０８）。
【００３４】
コンピュータ２１は、注文データに含まれる画像データを抽出し、指定された内容で画像処理を施し、印刷装置２２に出力する。又、コンピュータ２１は、入力されたメッセージカード作成用データを印刷装置２２に出力する（Ｓ３０９）。印刷装置２２は、入力された画像データに基づく画像を指定されたサイズの用紙にプリントし、入力されたメッセージカード作成用データに基づいて、図４に示したようなメッセージカードをプリントする（Ｓ３１０）。
【００３５】
店舗の従業員は、印刷装置２２から排出された画像に利用者により指定された額を付け、それにメッセージカードを添えて、指定された配送先の店舗３０に届ける。贈答品の受取人は、配送先の店舗３０に行き、上記額付きの画像とメッセージカードとを受け取る。尚、指定された配送先の店舗３０に届ける他に、贈答品の受取人に贈答品を直接配送するようにしても良い。
【００３６】
以上のように本実施形態によれば、店舗２０において贈答品注文受付装置１００を利用することで、贈答品の注文と、その贈答品に添付するメッセージカードの作成依頼とを行うことができる。特に、メッセージカードとして画像付きのものを作成することもできるため、画像付きのメッセージカードを贈答品に添えることで、真心のこもった贈答品を相手に贈ることができる。
【００３７】
又、贈答品注文受付装置１００に搭載された撮像部１２によって得られた画像をメッセージカードにプリントすることができるため、利用者は、贈答品の注文を行った時点において撮影した自身の画像をメッセージカードにプリントすることができる。つまり、贈答品に添付するメッセージカードには、贈答品と直接関係のない画像がプリントされるわけではないため、贈答品の受取人に対し、気持ちを伝えやすくすることができる。
【００３８】
尚、贈答品注文受付装置１００の設置店舗２０の印刷装置２２から排出された額付きの画像とメッセージカードとを、贈り主が一旦確認してから、配送先の店舗３０に届けるようにしても良い。贈答品として画像を贈る場合、その贈り主は出来上がった画像を確認したい場合がある。これは、写真を現像する店舗等の場合、店舗によって画像の出来具合が異なるからである。これにより、贈り主は、出来上がった画像を一度確認することで、納得した贈答品を相手に贈ることができるようになる。また、このようにした場合、店舗に利用者が来店する必要がある。このため、店舗としては集客効果を上げることができる。
【００３９】
又、注文データとメッセージカード作成用データとを、贈答品注文受付装置１００の設置店舗内のコンピュータ２１ではなく、贈答品の配送先の店舗３０に設置されたコンピュータ３１にネットワーク４０を介して出力するようにしても良い。この場合は、贈答品の配送先の店舗３０に設置されたコンピュータ３１と印刷装置３２とにより、上記Ｓ３１０とＳ３１１の処理がなされる。このようにすることにより、贈答品及びメッセージカードを、贈答品の配送先の店舗に送る必要がなくなり、サービス運営のコストを削減することができる。更に、店舗２０から、贈答品の受取人に贈答品を直接配送するようにした場合も、配送コストを削減することができる。
【００４０】
又、上記では、贈答品として画像をプリントしたものを例として説明したため、注文データとメッセージカード作成用データとを同一のコンピュータに出力しているが、例えば、贈答品が花等の場合、注文データは花の配送を管理するコンピュータにネットワーク４０を介して出力し、メッセージカード作成用データだけを、店舗２０内のコンピュータ２１又は店舗３０内のコンピュータ３１に出力するようにしても良い。
【００４１】
又、上記では贈答品注文受付装置１００に接続されたコンピュータ２１で画像処理を行っているが、贈答品注文受付装置１００内で画像処理を行うことも可能である。同様に、印刷処理も贈答品注文受付装置１００内で行っても良い。又、店舗３０に、贈答品受付装置１００を設置しておき、贈答品受付装置１００で印刷処理を行うようにしても良い。
【００４２】
又、メッセージカード作成用データ生成処理において、撮像部１２により得られた動画像データから時系列的に複数の静止画像データを抜き出し、抜き出した静止画像データに基づく複数の静止画像の各々を別々の紙に貼り付けて、あたかも動画を再生しているかのように見せる、いわゆるパラパラ漫画ができるようなカードを作成するためのデータを生成しても良い。このようにすれば、贈答品の受取人は、贈答品に添付されているパラパラ漫画によって、贈り主が動いている様子を視覚的に楽しむことができる。
【００４３】
又、上記では、利用者が画像データを持ち込んで贈答品の依頼を行っているが、撮像部１２で撮像して得られた画像データを、そのまま贈答品とすることも可能である。
【図面の簡単な説明】
【００４４】
【図１】本発明の実施形態を説明するための贈答品注文受付装置の概略構成を示す図
【図２】本発明の実施形態を説明するための贈答品注文受付装置を利用した贈答品注文システム全体の概略構成例を示す図
【図３】本発明の実施形態を説明するための贈答品注文システムの動作フローを示す図
【図４】メッセージカード作成用データに基づいて作成されるメッセージカードのイメージを示す図
【符号の説明】
【００４５】
１００  贈答品注文受付装置１００
１０  操作部
１１  表示部
１２  撮像部
１３  メディアＩＦ
１４  制御部
１５  メモリ
１６  データ出力部
１７  バス
【図１】
2005078151.tif 000003
【図２】
2005078151.tif 000004
【図３】
2005078151.tif 000005
【図４】
2005078151.tif 000006